(57)【要約】【課題】一対の電池の電極が直接に接触するように直列接続されて収納されてなる電池収納装置において、操作者の大きな力を必要とせずに、一対の電池の互いに接触する電極同士の汚れを容易に落として、その間の接触抵抗を低減させることのできるものを提案しようとするものである。【解決手段】電池カートリッジ２４の内面に、第１の電池２６Ａの周面に接触し得る支点３０、３０が設けられると共に、電池カートリッジ２４の挿抜時に第１の電池２６Ａの周面の支点から離間した部位から支点３０、３０にかけて及び支点３０、３０から離間した部位にかけて連続的に押圧することにより、第１の電池２６Ａを支点３０、３０の周りに揺動させて、その第１の電池２６Ａの一方の極性の電極Ａ＋を、第２の電池２６Ｃの他方の極性の電極Ｃ−に擦り合わせる弾性体３６が、電池カートリッジ収納部７０の内面に設けられている。【選択図】　　　　　図２
2004119174.tif 000002
【特許請求の範囲】
【請求項１】
第１の電池の一端に設けられた一方の極性の電極及び第２の電池の他端に設けられた他方の極性の電極が互いに押圧されて直接に接触するように前記第１及び第２の電池が直列接続されて収納される電池カートリッジ及び該電池カートリッジが挿入される電池カートリッジ収納部を有する電池収納装置であって、
前記電池カートリッジの内面に、前記第１の電池の周面に接触し得る支点が設けられると共に、
前記電池カートリッジの挿抜時に前記第１の電池の周面の前記支点から離間した部位から前記支点にかけて及び前記支点から離間した部位にかけて連続的に押圧することにより、前記第１の電池を前記支点の周りに揺動させて、該第１の電池の一方の極性の電極を、前記第２の電池の他方の極性の電極に擦り合わせる弾性体が、前記電池カートリッジ収納部の内面に設けられてなることを特徴とする電池収納装置。
【請求項２】
第１の電池の一端に設けられた一方の極性の電極及び第２の電池の他端に設けられた他方の極性の電極が互いに押圧されて直接に接触するように前記第１及び第２の電池が直列接続され、且つ、第３の電池の一端に設けられた一方の極性の電極及び第４の電池の他端に設けられた他方の極性の電極が互いに押圧されて直接に接触するように前記第３及び第４の電池が直列接続され、前記第１及び第３の電池が互いに並列に配置され、且つ、前記第２及び第４の電池が互いに並列に配置されるように、前記第１乃至第４の電池が収納される電池カートリッジ及び該電池カートリッジが挿入される電池カートリッジ収納部を有する電池収納装置であって、
前記電池カートリッジの内面に、前記第１の電池の周面に接触し得る第１の支点及び前記第３の電池の周面に接触し得る第２の支点が設けられると共に、
前記電池カートリッジの挿抜時であって、前記第１の電池の周面の前記第１の支点から離間した部位から該第１の支点にかけて及び該第１の支点から離間した部位にかけて連続的に押圧することにより、前記第１の電池を前記第１の支点の周りに揺動させて、該第１の電池の一方の極性の電極を、前記第２の電池の他方の極性の電極に擦り合わせる第１の弾性体と、前記電池カートリッジの挿抜時に前記第３の電池の周面の前記第２の支点から離間した部位から該第２の支点にかけて及び該第２の支点から離間した部位にかけて連続的に押圧することにより、前記第３の電池を前記第２の支点の周りに揺動させて、該第３の電池の一方の極性の電極を、前記第４の電池の他方の極性の電極に擦り合わせる第２の弾性体とが、前記電池カートリッジ収納部の内面に設けられてなる
ことを特徴とする電池収納装置。
【請求項３】
請求項２に記載の電池収納装置において、
前記第１及び第２の支点が互いに前記電池カートリッジの幅方向の略同一線上にあるとき、前記第１及び第２の弾性体は、前記第１乃至第４の電池の略半分の長さに相当する距離だけ電池カートリッジの長手方向に離間した位置に設けられていることを特徴とする電池収納装置。
【発明の詳細な説明】
【０００１】
【発明の属する技術分野】
本発明は、一対の電池の電極が直接に接触するように直列接続されて収納されてなる電池収納装置に関する。
【０００２】
【従来の技術】
特許文献１には、４本の電池、又は、電池パックを選択的に装着し得るようにした電池カートリッジ及びこれを使用する電子機器が記載されている。
【０００３】
特許文献２には電池挿入機構が記載され、その電池挿入機構では、４本の電池を収納し得るようにした電池収納筐が、電子機器の外筐部に揺動自在に取り付けられ、その電池収納筐を電子機器の外筐部の凹部に収納する如くその凹部を蓋するようにしている。
【０００４】
尚、これら特許文献１及び２には、電池の電極の汚れを落とす手段は、何ら記載されてはいない。
【０００５】
特許文献３には電池ケースが記載され、その電池ケースでは、電源スイッチのスライド動作に連動して、電池を支点の周りに揺動させることによって、電池の電極を固定エッジ部に摺動させ、これによって、電池の電極の表面が払拭されるようになされている。
【０００６】
しかし、この特許文献３の電池ケースは、電源スイッチのスライド動作に対する負荷が大きくなるという欠点がある。
【０００７】
【特許文献１】
特開２００１−２３６９３６
【０００８】
【特許文献２】
特開平１０−２５５７４８号公報
【０００９】
【特許文献３】
特開平７−４５２６３号公報
【００１０】
【発明が解決しようとする課題】
一対の電池の電極が直接に接触するように直列接続されて収納されてなる電池収納装置では、第１及び第２の電池の電極同士が直接接触し、その間に端子が必要ないため、電池収納装置の小型化及び低廉化が容易である。
【００１１】
しかし、かかる電池収納装置では、一対の電池の電極の接触面に汚れが付着すると、接触不良による電圧降下が生じるおそれがある。かかる電池収納装置を備えた電子機器、例えば、デジタルカメラでは、電池電圧の電圧降下によって、撮影可能枚数の減少を招来する。
【００１２】
本発明は、一対の電池の電極が直接に接触するように直列接続されて収納されてなる電池収納装置において、操作者の大きな力を必要とせずに、第１及び第２の電池の互いに接触する電極同士の汚れを容易に落として、その間の接触抵抗を低減させることのできるものを提案しようとするものである。
【００１３】
【課題を解決するための手段】
第１の発明は、第１の電池の一端に設けられた一方の極性の電極及び第２の電池の他端に設けられた他方の極性の電極が互いに押圧されて直接に接触するように第１及び第２の電池が直列接続されて収納される電池カートリッジ及びその電池カートリッジが挿入される電池カートリッジ収納部を有する電池収納装置であって、電池カートリッジの内面に、第１の電池の周面に接触し得る支点が設けられると共に、電池カートリッジの挿抜時に第１の電池の周面の支点から離間した部位から支点にかけて及び支点から離間した部位にかけて連続的に押圧することにより、第１の電池を支点の周りに揺動させて、その第１の電池の一方の極性の電極を、第２の電池の他方の極性の電極に擦り合わせる弾性体が、電池カートリッジ収納部の内面に設けられてなる電池収納装置である。
【００１４】
第１の発明によれば、第１の電池の一端に設けられた一方の極性の電極及び第２の電池の他端に設けられた他方の極性の電極が互いに押圧されて直接に接触するように第１及び第２の電池が直列接続されて電池カートリッジに収納され、その電池カートリッジが電池カートリッジ収納部に収納される。電池カートリッジの内面に、第１の電池の周面に接触し得る支点が設けられると共に、電池カートリッジの挿抜時に第１の電池の周面の支点から離間した部位を押圧して、第１の電池を支点の周りに揺動させて、その第１の電池の一方の極性の電極を、第２の電池の他方の極性の電極に擦り合わせる板ばね等の弾性体が、電池カートリッジ収納部の内面に設けられる。
【００１５】
第２の発明は、第１の電池の一端に設けられた一方の極性の電極及び第２の電池の他端に設けられた他方の極性の電極が互いに押圧されて直接に接触するように第１及び第２の電池が直列接続され、且つ、第３の電池の一端に設けられた一方の極性の電極及び第４の電池の他端に設けられた他方の極性の電極が互いに押圧されて直接に接触するように第３及び第４の電池が直列接続され、第１及び第３の電池が互いに並列に配置され、且つ、第２及び第４の電池が互いに並列に配置されるように収納される電池カートリッジ及びその電池カートリッジが挿入される電池カートリッジ収納部を有する電池収納装置であって、電池カートリッジの内面に、第１の電池の周面に接触し得る第１の支点及び第３の電池の周面に接触し得る第２の支点が設けられると共に、電池カートリッジの挿抜時であって、第１の電池の周面の第１の支点から離間した部位から第１の支点にかけて及び第１の支点から離間した部位にかけて連続的に押圧することにより、第１の電池を第１の支点の周りに揺動させて、その第１の電池の一方の極性の電極を、第２の電池の他方の極性の電極に擦り合わせる第１の弾性体と、電池カートリッジの挿抜時に第３の電池の周面の第２の支点から離間した部位から第２の支点にかけて及び第２の支点から離間した部位にかけて連続的に押圧することにより、第３の電池を第２の支点の周りに揺動させて、その第３の電池の一方の極性の電極を、第４の電池の他方の極性の電極に擦り合わせる第２の弾性体とが、電池カートリッジ収納部の内面に設けられてなる電池収納装置である。
【００１６】
第２の発明によれば、第１の電池の一端に設けられた一方の極性の電極及び第２の電池の他端に設けられた他方の極性の電極が互いに押圧されて直接に接触するように第１及び第２の電池が直列接続され、且つ、第３の電池の一端に設けられた一方の極性の電極及び第４の電池の他端に設けられた他方の極性の電極が互いに押圧されて直接に接触するように第３及び第４の電池が直列接続され、第１及び第３の電池が互いに並列に配置され、且つ、第２及び第４の電池が互いに並列に配置されるように電池カートリッジに収納され、その電池カートリッジが電池カートリッジ収納部に収納される。電池カートリッジの内面に、第１の電池の周面に接触し得る第１の支点及び第３の電池の周面に接触し得る第２の支点が設けられる。電池カートリッジ収納部の内面に、板状材ばね等の第１の弾性体が設けられ、その第１の弾性体によって、電池カートリッジの挿抜時であって、第１の電池の周面の第１の支点から離間した部位から第１の支点にかけて及び第１の支点から離間した部位にかけて連続的に押圧することにより、第１の電池を第１の支点の周りに揺動させて、その第１の電池の一方の極性の電極を、第２の電池の他方の極性の電極に擦り合わせる。更に、電池カートリッジ収納部の内面に、第２の弾性体が設けられ、その第２の弾性体によって、電池カートリッジの挿抜時に第３の電池の周面の第２の支点から離間した部位から第２の支点にかけて及び第２の支点から離間した部位にかけて連続的に押圧することにより、第３の電池を第２の支点の周りに揺動させて、その第３の電池の一方の極性の電極を、第４の電池の他方の極性の電極に擦り合わせる。
【００１７】
第３の発明は、第２の発明の電池収納装置において、第１及び第２の支点が互いに電池カートリッジの幅方向の略同一線上にあるとき、第１及び第２の弾性体は、第１乃至第４の電池の略半分の長さに相当する距離だけ電池カートリッジの長手方向に離間した位置に設けられている電池収納装置である。
【００１８】
第３の発明によれば、第２の発明の電池収納装置において、第１及び第２の支点が互いに電池カートリッジの幅方向の略同一線上にあるとき、第１及び第２の弾性体は、第１乃至第４の電池の略半分の長さに相当する距離だけ電池カートリッジの長手方向に離間した位置に設けられている。
【００１９】
【発明の実施の形態】
以下に、図１を参照して、一部に電池収納装置を備える電子機器としての、例えば、デジタルカメラ、そのデジタルカメラの電池カートリッジ収納部に収納される電池カートリッジ及びその電池カートリッジに収納される電池を説明する。
【００２０】
図１Ａは、デジタルカメラ本体の背面図である。１０は、デジタルカメラ本体を全体として示す。このデジタルカメラ本体１０の背面パネルには、液晶モニタ１２、液晶表示器１４、電源スイッチ１６、メニュー／実行ボタン１８、キャンセルボタン２０及び４個のボタンからなる操作ボタン２２が設けられている。尚、デジタルカメラ本体１０の前面には、撮影レンズ装置が設けられている。
【００２１】
デジタルカメラ１０の下側の部分には、横方向に延在する電池カートリッジ収納部７０が設けられ、デジタルカメラ１０の向かって右側の側面の下端部に、電池カートリッジ収納部７０の挿入口７０ａが設けられている。そして、図１Ｃに示す電池カートリッジ２４をその挿入口７０ａから電池カートリッジ収納部７０内に挿入する。
【００２２】
この電池カートリッジ２４には、図１Ｂに示すような４本の同じ種類の電池（乾電池又は充電式電池）２６が収納されるようになされている。電池２６は、例えば、単４であるが、単１、単２、単３、単５等も可能である。
【００２３】
図２は、図１Ｃの電池カートリッジ２４が、図１Ａの電池カートリッジ収納部７０に完全に収納された状態の上方から見た縦断面図を示す。以下に、図１Ｃ及び図２を参照して、電池カートリッジ２４について説明する。２８、２８、２８は電池押さえで、電池カートリッジ２４の側板６６、６８側と、第２及び第４の電池２６Ｃ、２６Ｄの間とに位置し、第２及び第４の電池２６Ｃ、２６Ｄが、電池カートリッジ２４内で、移動しないようにするためのものである。
【００２４】
３０、３０、３０は支点としてのリブ（支点リブ）で、第１及び第３の電池２６Ａ、２６Ｂの周面との間に隙間を有すると共に、第１及び第３の電池２６Ａ、２６Ｂの微小移動によって、第１及び第３の電池２６Ａ、２６Ｂの周面が、リブ３０、３０、３０に接触し、又、離間し得るようになされている。リブ３０、３０、３０は、第１及び第３の電池２６Ａ、２６Ｂの揺動時に、支点としての機能を発揮できるような硬さを有する金属、合成樹脂等から構成される。
【００２５】
３２は摘子で、この摘子３２を使用者が手の指で摘んで、電池カートリッジ２４を電池カートリッジ収納部７０に挿入したり、電池カートリッジ収納部７０から引き出したりする。
【００２６】
以下に、図２を参照して、電池カートリッジ及び電池カートリッジ収納部の構成を更に説明する。５４、５６は互いに平行に配された２枚の側板、５８は、これら側板５４、５６に対し直角に配された奥板５８をそれぞれ示し、これらの側板５４、５６及び奥板５８は、電池カートリッジ収納部７０の一部を構成する。
【００２７】
２６Ａ、２６Ｃ、２６Ｂ及び２６Ｄは、それぞれ第１、第２、第３及び第４の電池を示す。そして、第１の電池２６Ａの一端に設けられた一方の極性（ここでは正極）の凸状電極Ａ＋及び第２の電池２６Ｃの他端に設けられた他方の極性（ここでは負極）の平面電極Ｃ−が互いに押圧されて直接に接触するように、これら第１及び第２の電池２６Ａ、２６Ｃが直列接続されて電池カートリッジ２４内に収納されている。
【００２８】
更に、第３の電池２６Ｂの一端に設けられた一方の極性（ここでは負極）の平面電極Ｂ−及び第４の電池２６Ｄの他端に設けられた他方の極性（ここでは正極）の凸状電極Ｄ＋電極が互いに押圧されて直接に接触するように第３及び第４の電池２６Ｂ、２６Ｄが直列接続され、これら第３及び第４の電池２６Ｂ、２６Ｄが電池カートリッジ２４内に収納されている。
【００２９】
そして、第１及び第３の電池２６Ａ、２６Ｂが互いに並列に配置され、且つ、第２及び第４の電池２６Ｃ、２６Ｄが互いに並列に配置されるように、第１乃至第４の電池２６Ａ、２６Ｃ、２６Ｂ及び２６Ｄが、電池カートリッジ２４内に収納されている。
【００３０】
第１の電池２６Ａの電極Ａ−が、電池カートリッジ収納部７０の端子４６に接触している。端子４６は、電池カートリッジ収納部７０の外部導出用の端子５０に接続固定され、その端子５０は奥板５８の内面に取付けられている。第３の電池２６Ｂの電極Ｂ＋が、電池カートリッジ収納部７０の端子４８に接触している。端子４８は、電池カートリッジ収納部７０の外部導出用の端子５２に接続固定され、その端子５２は奥板５８の内面に取付けられている。
【００３１】
電池カートリッジ収納部７０の側板５４、５６の奥板５８側には、それぞれ先端が先細とされたガイド６０、６２が設けられると共に、奥板５８の中央部にガイド６４が植立されている。電池カートリッジ２４を電池カートリッジ収納部７０に挿入したとき、電池カートリッジ２４は、電池カートリッジ２４がこれらガイド６０、６２、６４に衝突しないような構造を有している。
【００３２】
そして、電池カートリッジ２４が電池カートリッジ収納部７０に挿入され、最後まで押し込まれたときに、これらガイド６０、６２、６４によって、第１及び第３の電池２６Ａ、２６Ｂが案内されて、第１及び第３の電池２６Ａ、２６Ｂをそれぞれ第２及び第４の電池２６Ｃ、２６Ｄの延長上に位置せしめられて、第１の電池２６Ａの電極Ａ＋及び第２の電池２６Ｃの電極Ｃ−間の接触、第１の電池２６Ａの電極Ａ−及び端子４６間の接触、第３の電池２６Ｂの電極Ｂ−及び第４の電池２６Ｄの電極Ｄ＋間の接触並びに第３の電池２６Ｂの電極Ｂ＋及び端子４８間の接触が確実になるようにしている。
【００３３】
第２の電池２６Ｃの電極Ｃ＋が、電池カートリッジ２４の端子４０に接触している。第４の電池２６Ｄの電極Ｄ−が、電池カートリッジ２４の端子４２に接触している。端子４０及び４２は、電池カートリッジ２４の接続部４４を通じて、互いに接続されている。端子４０及び４２並びに接続部４４は、電池カートリッジ２４の端板３４の内面に取付けられている。端板３４の外面の中央部には、摘子３２が取付けられている。
【００３４】
この例では、電池カートリッジ収納部７０の外部導出用の端子５０、５２間に、第１乃至第４の電池２６Ａ〜２６Ｄが直列接続される。しかし、第１乃至第４の電池２６Ａ〜２６Ｄの接続の仕方は、これに限られるものではない。例えば、第１及び第２の電池２６Ａ、２６Ｃを直列接続し、第３及び第４の電池２６Ｂ、２６Ｄを直列接続し、これら電池の直列回路を並列接続するようにしても良い。
【００３５】
６６、６８は電池カートリッジの側板で、それぞれ電池カートリッジ収納部７０の側板５４、５６に接触し、電池カートリッジ２４の挿抜時に側板５４、５６に摺動する。
【００３６】
第２及び第４の電池２６Ｃ、２６Ｄの周面は、側板６６、６８側並びに第２及び第４の電池２６Ｃ、２６Ｄの中間に設けられた電池押さえ２８、２８、２８によって押さえられて、第２及び第４の電池２６Ｃ、２６Ｄが移動及び揺動しないようにされる。
【００３７】
第１及び第３の電池２６Ａ、２６Ｂの周面は、側板６６、６８側並びに第１及び第３の電池２６Ａ、２６Ｂの中間にそれぞれ設けられたリブ（支点）（支点リブ）３０、３０、３０に接触し得るように構成されている。
【００３８】
３６、３８は、断面が三角形の板ばねで、電池カートリッジ収納部７０の側板５４、５６にそれぞれ取り付けられており、電池カートリッジ２４の電池カートリッジ収納部７０への挿抜時に、電池カートリッジ２４内に侵入し得るように付勢され、板ばね３６、３８の弾性力によって、第１及び第３の電池２６Ａ、２６Ｂの周面を押圧して、第１及び第３の電池２６Ａ、２６Ｂを、図２の面内において、リブ３０、３０、３０の周りに揺動せしめられる。
【００３９】
尚、板状材ばね３６、３８の代わりに、コイルスプリング等も可能である。
【００４０】
線Ｌ１、Ｌ２は、それぞればね３６、３８の断面の三角形の頂点の位置を示す。線Ｌ１、Ｌ２が、第１の電池２６Ａの両側のリブ３０、３０と、第３の電池２６Ｂの両側のリブ３０、３０とが、電池カートリッジ２４の幅方向の略同一線上にあるとき、ばね３６、３８が、第１乃至第４の電池２６Ａ〜２６Ｄの略半分の長さに相当する距離だけ電池カートリッジの長手方向に離間した位置に位置するように、ばね３６、３８が位置決めされている。これによって、第１及び第３の電池２６Ａ、２６Ｃの揺動時に互いに衝突することがなく、電池カートリッジ２４を電池カートリッジ収納部７０に挿入するときの第１及び第３の電池２６Ａ、２６Ｃの揺動のための負荷が小さくなる。尚、電池カートリッジ２４が、電池カートリッジ収納部７０に完全に押し込まれたとき、ばね３６、３８の断面の三角形の頂点は、第２及び第４の電池２６Ｃ、２６Ｄの周面に接触している。
【００４１】
次に、図２及び図３を参照して、電池カートリッジ２４をデジタルカメラ本体１０の電池カートリッジ収納部７０から引き出し、その後、電池カートリッジ収納部７０に挿入して押し込んでいくときの、第１及び第３の電池２６Ａ、２６Ｂが、支点としてのリブ３０、３０、３０の周りに揺動する動作を説明する。
【００４２】
図３Ａは、図２と同様に、電池カートリッジ２４が、電池カートリッジ収納部７０内に完全に押し込まれた状態を示す。図３Ｂは、図３Ａの状態から、一旦電池カートリッジを右方に引き出した後、その電池カートリッジ２４を、電池カートリッジ収納部７０内に僅かに挿入した状態を示す。図３Ｂでは、ばね３８が第３の電池２６Ｂの左側を押し上げて、第３の電池２６Ｂをリブ３０、３０の周りに時計周りに動かすことによって、第３の電池２６Ｂの電極Ｂ−を、第４の電池２６Ｄの電極Ｄ＋に擦り合わせるようにしている。このとき、同時に第３の電池２６Ｂの電極Ｂ＋が、端子４８と擦り合わせられる。
【００４３】
図３Ｃは、図３Ｂの状態から、更に電池カートリッジ２４が、更に電池カートリッジ収納部７０内に押し込まれた状態を示す。図３Ｃでは、ばね３６が第１の電池２６Ａの左側を押し上げて、第１の電池２６Ａをリブ３０、３０の周りに反時計周りに動かすことによって、第１の電池２６Ａの電極Ａ＋を、第２の電池２６Ｃの電極Ｃ−に擦り合わせるようにしている。このとき、同時に第１の電池２６Ａの電極Ａ−が、端子４６と擦り合わせられる。
【００４４】
図３Ｄは、図３Ｃの状態から、更に電池カートリッジ２４が、電池カートリッジ収納部７０内に押し込まれた状態を示す。図３Ｄでは、ばね３８が第３の電池２６Ｂの右側を押し上げて、第３の電池２６Ｂをリブ３０、３０の周りに反時計周りに動かすことによって、第３の電池２６Ｂの電極Ｂ−を、第４の電池２６Ｄの電極Ｄ＋に擦り合わせるようにしている。このとき、同時に第３の電池２６Ｂの電極Ｂ＋が、端子４８と擦り合わせられる。
【００４５】
図３Ｅは、図３Ｄの状態から、更に電池カートリッジ２４が、電池カートリッジ収納部７０内に押し込まれた状態を示す。図３Ｅでは、ばね３６が第１の電池２６Ａの右側を押し下げて、第１の電池２６Ａをリブ３０、３０の周りに時計周りに動かすことによって、第１の電池２６Ａの電極Ａ＋を、第２の電池２６Ｃの電極Ｃ−に擦り合わせるようにしている。このとき、同時に第１の電池２６Ａの電極Ａ−が、端子４６と擦り合わせられる。
【００４６】
図３Ｅの状態から、更に電池カートリッジ２４が、電池カートリッジ収納部７０内に押し込まれると、図３Ａに示す如く、第１及び第３の電池２６Ａ、２６Ｂがガイド６０、６２、６４に案内されることにより、これらガイド６０、６２、６４によって、第１及び第３の電池２６Ａ、２６Ｂが案内されて、第１及び第３の電池２６Ａ、２６Ｂをそれぞれ第２及び第４の電池２６Ｃ、２６Ｄの延長上に位置せしめられて、第１の電池２６Ａの電極Ａ＋及び第２の電池２６Ｃの電極Ｃ−間の接触、第１の電池２６Ａの電極Ａ−及び端子４６間の接触、第３の電池２６Ｂの電極Ｂ−及び第４の電池２６Ｄの電極Ｄ＋間の接触並びに第３の電池２６Ｂの電極Ｂ＋及び端子４８間の接触が確実になるようにされる。
【００４７】
かくして、電池カートリッジ２４を電池カートリッジ収納部７０に挿入するときに、第１の電池２６Ａの電極Ａ＋が、第３の電池２６Ｃの電極Ｃ−に、２回擦り合わされて、両電極Ａ＋、Ｃ−の汚れが落とされて、その間の接触抵抗が低減せしめられる。このとき、副次的に、第１の電池２６Ａの電極Ａ−が、端子４６に、２回擦り合わせられて、電極Ａ−及び端子４６の汚れが落とされて、その間の接触抵抗が低減せしめられる。
【００４８】
又、電池カートリッジ２４を電池カートリッジ収納部７０に挿入するときに、第３の電池２６Ｂの電極Ｂ−が、第４の電池２６Ｄの電極Ｄ＋に、２回擦り合わされて、両電極Ｂ−、Ｄ＋の汚れが落とされて、その間の接触抵抗が低減せしめられる。このとき、副次的に、第３の電池２６Ｂの電極Ｂ＋が、端子４８に、２回擦り合わせられて、電極Ｂ＋及び端子４８の汚れが落とされて、その間の接触抵抗が低減せしめられる。
【００４９】
尚、図３Ａの状態から、電池カートリッジ２４を電池カートリッジ収納部７０から引き出すときにも、電池の電極同士の擦り合わせ並びに電池の電極及び端子間の擦り合わせによって、電池の電極の汚れが落とされる。
【００５０】
即ち、ばね３６によって、電池カートリッジ収納部７０に対する電池カートリッジ２４の挿抜時に、第１の電池２６Ａの周面のリブ３０、３０から離間した部位からリブ３０、３０にかけて及びリブ３０、３０から離間した部位にかけて連続的に押圧することにより、第１の電池２６Ａをリブ３０、３０の周りに揺動させて、その第１の電池２６Ａの一方の極性の電極Ａ＋を、第２の電池２６Ｃの他方の極性の電極Ｃ−に擦り合わせて、各電極Ａ＋、Ｃ−の各接触面の汚れを落とす。
【００５１】
更に、ばね３８によって、電池カートリッジ収納部７０に対する電池カートリッジ２４の挿抜時に、第３の電池２６Ｂの周面のリブ３０、３０から離間した部位からリブ３０、３０にかけて及びリブ３０、３０から離間した部位にかけて連続的に押圧することにより、第３の電池２６Ｂをリブ３０、３０の周りに揺動させて、その第３の電池２６Ｂの一方の極性の電極Ｂ−を、第４の電池２６Ｄの他方の極性の電極Ｄ＋に擦り合わせて、各電極Ｂ−、Ｄ＋の各接触面の汚れを落とす。
【００５２】
上述の例では、第１乃至第４の電池２６Ａ〜２６Ｄを、電池カートリッジ２４内に収納するようにした場合を例にとって説明したが、第１及び第２の電池２６Ａ、２６Ｃのみを電池カートリッジに収納するようにした場合にも、本発明を適用可能である。
【００５３】
上述においては、弾性体として、断面が三角形の板ばね３６、３８の例を述べたが、板ばねの断面は、半円形、半楕円形等であっても良く、又、板ばね全体の形状が、半球面状、半楕円球面状等であっても良い。弾性体がこのような形状を有するときは、抜き差し時の負担が少なくて済むという利点がある。
【００５４】
【発明の効果】
第１の発明によれば、第１の電池の一端に設けられた一方の極性の電極及び第２の電池の他端に設けられた他方の極性の電極が互いに押圧されて直接に接触するように第１及び第２の電池が直列接続されて収納される電池カートリッジ及びその電池カートリッジが挿入される電池カートリッジ収納部を有する電池収納装置であって、電池カートリッジの内面に、第１の電池の周面に接触し得る支点が設けられると共に、電池カートリッジの挿抜時に第１の電池の周面の支点から離間した部位から支点にかけて及び支点から離間した部位にかけて連続的に押圧することにより、第１の電池を支点の周りに揺動させて、その第１の電池の一方の極性の電極を、第２の電池の他方の極性の電極に擦り合わせる弾性体が、電池カートリッジ収納部の内面に設けられてなるので、一対の電池の電極が直接に接触するように直列接続されて収納されてなる電池収納装置において、操作者の大きな力を必要とせずに、第１及び第２の電池の互いに接触する電極同士の汚れを容易に落として、その間の接触抵抗を低減させることのできる電池収納装置を得ることができる。
【００５５】
第２の発明によれば、第１の電池の一端に設けられた一方の極性の電極及び第２の電池の他端に設けられた他方の極性の電極が互いに押圧されて直接に接触するように第１及び第２の電池が直列接続され、且つ、第３の電池の一端に設けられた一方の極性の電極及び第４の電池の他端に設けられた他方の極性の電極が互いに押圧されて直接に接触するように第３及び第４の電池が直列接続され、第１及び第３の電池が互いに並列に配置され、且つ、第２及び第４の電池が互いに並列に配置されるように収納される電池カートリッジ及びその電池カートリッジが挿入される電池カートリッジ収納部を有する電池収納装置であって、電池カートリッジの内面に、第１の電池の周面に接触し得る第１の支点及び第３の電池の周面に接触し得る第２の支点が設けられると共に、電池カートリッジの挿抜時であって、第１の電池の周面の第１の支点から離間した部位から第１の支点にかけて及び第１の支点から離間した部位にかけて連続的に押圧することにより、第１の電池を第１の支点の周りに揺動させて、その第１の電池の一方の極性の電極を、第２の電池の他方の極性の電極に擦り合わせる第１の弾性体と、電池カートリッジの挿抜時に第３の電池の周面の第２の支点から離間した部位から第２の支点にかけて及び第２の支点から離間した部位にかけて連続的に押圧することにより、第３の電池を第２の支点の周りに揺動させて、その第３の電池の一方の極性の電極を、第４の電池の他方の極性の電極に擦り合わせる第２の弾性体とが、電池カートリッジ収納部の内面に設けられてなるので、各一対の電池の電極が直接に接触するようにそれぞれ直列接続されて収納されてなる電池収納装置において、操作者の大きな力を必要とせずに、各一対電池の互いに接触する電極同士の汚れを容易に落として、その間の接触抵抗を低減させることのできる電池収納装置を得ることができる。
【００５６】
第３の発明によれば、第２の発明の電池収納装置において、第１及び第２の支点が互いに電池カートリッジの幅方向の略同一線上にあるとき、第１及び第２の弾性体は、第１乃至第４の電池の略半分の長さに相当する距離だけ電池カートリッジの長手方向に離間した位置に設けられているので、第２の発明の効果に加えて、第１及び第３の電池の揺動時に第１及び第３の電池が互いに衝突することがなく、電池カートリッジを電池カートリッジ収納部に挿入するときの第１及び第３の電池の揺動のための負荷が増大することのない電池収納装置を得ることができる。
【００５７】
第１、第２及び第３の発明に係る電池収納装置を電子機器、例えば、デジタルカメラに適用した場合、電池電圧の電圧降下によって、撮影可能枚数の減少を回避することができる。
【図面の簡単な説明】
【図１】Ａ　本発明の実施の形態の電池収納装置の一例としてのデジタルカメラ本体の背面図である。
Ｂ　電池カートリッジに収納される電池を示す図である。
Ｃ　デジタルカメラ本体の電池カートリッジ収納部に収納される電池カートリッジを示す断面図である。
【図２】電池の収納された電池カートリッジの電池カートリッジ収納部に完全に挿入された状態を示す平面方向から見た断面図である。
【図３】電池の収納された電池カートリッジを電池カートリッジ収納部に挿入するときのばねによる電池の揺動状態を示す平面方向から見た断面図である。
【符号の説明】
２４…電池カートリッジ、２６Ａ〜Ｄ…電池、２８…電池押さえ、３０…リブ（支点リブ）、３２…摘子、３４…端板、３６…板ばね、３８…板ばね、４０…端子、４２…端子、４４…接続部、４６…端子、４８…端子、５０…端子、５２…端子、５４…側板、５６…側板、５８…奥板、６０…ガイド、６２…ガイド、６４…ガイド、６６…側板、６８…側板、７０…電池カートリッジ収納部
【図１】
2004119174.tif 000003
【図２】
2004119174.tif 000004
【図３】
2004119174.tif 000005